(57)【要約】【課題】高所等にあっても所望の状態や姿勢への施工、設定が容易で、設定した状態で簡単にシートを引っ張ることができ、引っ張った状態で皺の発生を容易に防止でき、しかも目標とする展張状態に短時間で確実に保持することが可能な、簡単な構造でありながら実用的に極めて便利かつ有用なシート展張装置を提供する。【解決手段】建築物または構造物躯体の辺部に沿う形状を有する躯体取付け部と、略パイプ状の形状を有しシート展張方向に向けて開口を有するシート端部保持部とが、一体に形成されている第１のシート展張具を有することを特徴とするシート展張装置。【選択図】図１
0003108764.tif 000002
【実用新案登録請求の範囲】
【請求項１】
建築物または構造物躯体の辺部に沿う形状を有する躯体取付け部と、略パイプ状の形状を有しシート展張方向に向けて開口を有するシート端部保持部とが、一体に形成されている第１のシート展張具を有することを特徴とするシート展張装置。
【請求項２】
シート端部が棒状体に巻かれた形態にて前記シート端部保持部に保持される、請求項１のシート展張装置。
【請求項３】
前記棒状体がプラスチック製棒状体からなる、請求項２のシート展張装置。
【請求項４】
前記シート端部保持部が横断面円形の保持空間を有する、請求項１〜３のいずれかに記載のシート展張装置。
【請求項５】
前記第１のシート展張具が、さらに、反シート展張方向に向けて延びる補強兼取扱い部を備えている、請求項１〜４のいずれかに記載のシート展張装置。
【請求項６】
前記第１のシート展張具が、アルミニウムまたはアルミニウム合金から構成されている、請求項１〜５のいずれかに記載のシート展張装置。
【請求項７】
前記第１のシート展張具が、展張シートを間に上下または左右に対向配置されている、請求項１〜６のいずれかに記載のシート展張装置。
【請求項８】
シートの一端側が前記第１のシート展張具によって保持され、シートの他端側が、外周にシート端部が巻き付けられる異形横断面のシート止め具と、折り返された状態のシート端部の通過を許容する開口を備え、シート端部が巻き付けられた前記シート止め具をシート自身が展張する方向に対して保持する保持具とを有する第２のシート展張具によって保持される、請求項１〜６のいずれかに記載のシート展張装置。
【請求項９】
前記シート止め具および保持具の少なくとも一方が、アルミニウムまたはアルミニウム合金から構成されている、請求項８のシート展張装置。
【考案の詳細な説明】
【技術分野】
【０００１】
本考案は、比較的広い面積を有するシート状物を展張させるためのシート展張装置に関し、とくに、皺を発生させることなく容易にシート状物を展張させることができ、取付け操作や設定を極めて簡単に行うことができるシート展張装置に関する。
【背景技術】
【０００２】
シート状物で構成され、広い面積を有する看板やテント、カーテン、間仕切り等にあっては、単なる設置のみならず、塗装や改装、補修等のために、皺を発生させることなく展張させることが要求される。また、上下から展張具を用いて展張させる場合、とくに上側は高所作業となることが多いので、作業の容易性や確実性も求められ、さらには、操作性が良く小型で軽量の展張具が求められる。
【０００３】
従来の展張具は、たとえば図９に示すように、広い面積を有する看板等のシート１０１の端部１０２を、棒状体１０３等にビス１０４等を用いて止め、その状態にて１０１を上下方向等に張設するようにしていた。
【０００４】
しかしこのような従来方法では、シート１０１の端部１０２をビス１０４等により止めるのに時間を要するとともに、広い面積を有するシート１０１に対してはビス止め作業を容易に行うことが困難であり、展張、設定作業もやりづらく、シート展張時に皺がよりやすいという問題がある。皺がよってしまうと、ビス１０４等により止めてるのでそれを解除してやり直すのに手間がかかり、とくに高所作業としては改善が望まれていた。
【考案の開示】
【考案が解決しようとする課題】
【０００５】
本考案の課題は、このような従来方法における問題点に着目し、高所等にあっても所望の状態や姿勢への施工、設定が容易で、設定した状態で簡単にシートを引っ張ることができ、引っ張った状態で皺の発生を容易に防止でき、しかも目標とする展張状態に短時間で確実に保持することが可能な、簡単な構造でありながら実用的に極めて便利かつ有用なシート展張装置を提供することにある。
【課題を解決するための手段】
【０００６】
上記課題を解決するために、本考案に係るシート展張装置は、建築物または構造物躯体の辺部に沿う形状を有する躯体取付け部と、略パイプ状の形状を有しシート展張方向に向けて開口を有するシート端部保持部とが、一体に形成されている第１のシート展張具を有することを特徴とするものからなる。ここで本考案における建築物または構造物躯体とは、建築物や構造物自体は勿論のこと、シート展張用に設けた枠体、さらには既存の看板等まで含む概念であり、シート展張に際し、支持の基体となるものの全てを含む概念である。
【０００７】
上記シート展張装置においては、シート端部が棒状体に巻かれた形態にて上記シート端部保持部に保持される構成とすることができる。棒状体としては、軽くて取り扱いやすいプラスチック製棒状体から構成できるが、金属製、たとえばアルミ製の棒状体から構成することも可能である。棒状体の形状としては、丸棒やパイプ状の形状を採用できる。このような棒状体に対し、シート端部はビス等により固定されることなく、単にシート端部が棒状体に巻かれた状態で保持されればよい。また、上記シート端部保持部は横断面円形の保持空間を有するものに構成できる。シート端部が巻かれた棒状体は、シートが上記開口から外部に延びる形態にて、シート端部保持部の保持空間内に保持されるが、保持空間内への挿入は、シート端部保持部の横から挿入してもよいし、開口を通して挿入するようにしてもよい。
【０００８】
上記第１のシート展張具は、さらに、反シート展張方向に向けて延びる補強兼取扱い部を備えている構成とすることもできる。この補強兼取扱い部は、たとえば、上記躯体取付け部の適当な部位に設けることが可能である。また、このような第１のシート展張具は、たとえば、アルミニウムまたはアルミニウム合金から構成されている構造とすることができる。さらに、この第１のシート展張具は、展張シートを間に上下または左右に対向配置して用いることもできる。
【０００９】
本考案に係るシート展張装置は、上記第１のシート展張具と、下記第２のシート展張具との組み合わせ形態で用いることが好ましい。すなわち、シートの一端側が前記第１のシート展張具によって保持され、シートの他端側が、外周にシート端部が巻き付けられる異形横断面のシート止め具と、折り返された状態のシート端部の通過を許容する開口を備え、シート端部が巻き付けられた前記シート止め具をシート自身が展張する方向に対して保持する保持具とを有する第２のシート展張具によって保持される構成である。
【００１０】
このような第２のシート展張具についても、上記シート止め具および保持具の少なくとも一方が、アルミニウムまたはアルミニウム合金から構成されている構造とすることができる。
【考案の効果】
【００１１】
本考案によれば、第１のシート展張具により、シート端部をとくにビス等を用いて止めることなく保持した状態で、シート端部保持部の開口からシートを展張できるので、簡単な取付け操作にて、時間をかけることなく、容易に所望の形態、とくに皺の発生のない状態で、シートを展張できる。とくに、シート端部を棒状体に巻き付けた状態でシート端部保持部に保持させることで、高所においても極めて簡単に展張できる。
【００１２】
また、第２のシート展張具との組み合わせ形態で用いることにより、該第２のシート展張具を用いて一層容易にしかも確実にシートを展張できるようになる。
【００１３】
さらに、上記第１のシート展張具を上下や左右に対向配置する構造、あるいは第１のシート展張具と第２のシート展張具との組み合わせ形態で用いる構造は、建築物または構造物躯体に直接取り付けることもできるし、シート展張用に設けた枠体に取り付けることもできるし、さらには既存の看板等の表面にさらに目標とする表示を施したシートを展張するために該既存の看板等に対して取り付けることもでき、極めて多様な使用方法を採用することが可能である。そして展張シートの表示目的が終了したときには、極めて容易にシートを取り外すことができ、必要に応じてシート展張も簡単に取り外すことができる。
【考案を実施するための最良の形態】
【００１４】
以下に、本考案の望ましい実施の形態について、図面を参照して説明する。
図１は、本考案に係るシート展張における第１のシート展張具を示している。この第１のシート展張具３１は、本実施態様では、アルミニウムまたはアルミニウム合金からなる一体形成部材として構成されている。第１のシート展張具３１は、建築物または構造物躯体の辺部（図示略）に沿う形状部分３２を有する躯体取付け部３３と、略パイプ状の形状を有しシート展張方向３４に向けて開口３５を有するシート端部保持部３６とが、一体に形成されたものからなる。シート端部保持部３６は、躯体取付け部３３に対し、溶接等により一体化されてもよく、押し出しや引き抜き成形により一体成形されてもよい。
【００１５】
本実施態様では、この第１のシート展張具３１の躯体取付け部３３に、シート展張方向３４とは反対側に向けて延びる補強兼取扱い部３７が一体に設けられている。この補強兼取扱い部３７により、シート展張方向３４に加わる力に対し、第１のシート展張具３１全体に所望の剛性を持たせるとともに、第１のシート展張具３１を取り付ける際などに、第１のシート展張具３１を持ちやすくしたり取扱いやすくしたりできる。
【００１６】
上記のような第１のシート展張具３１は、所定の建築物または構造物躯体等にビス等の適当な固定手段（図示略）を用いて取り付けられ、第１のシート展張具３１に、たとえば図２に示すような形態のシート端部が保持され、その状態でシートが展張される。図２に示す形態では、シート４１の端部が棒状体４２（本実施態様では、プラスチック製の丸棒体）に巻かれ、その形態にて上記第１のシート展張具３１のシート端部保持部３６内に挿入、保持される。端部が保持されたシート４１は、開口３５からシート端部保持部３６外に向けて延び、図１のシート展張方向３４に向けて展張される。
【００１７】
棒状体４２に対して、シート４１の端部は、ビス等により固定されることなく、単に巻き付けられただけの状態であるから、たとえ高所で作業する際においても、極めて簡単にシート４１の端部を第１のシート展張具３１に保持させることが可能になる。したがって、作業時間も大幅に短縮される。さらに、棒状体４２に巻き付けた状態で保持されるから、展張されるシート４１に皺等は発生しにくくなり、望ましい状態での展張が簡単に達成されることになる。
【００１８】
また、上記第１のシート展張具３１は、シート展張領域の上側に位置する建築物または構造物躯体の辺部に対しても、下側に位置するそれに対しても、同じように容易に取付けできるので、第１のシート展張具３１取付け作業まで含めたシート展張作業が容易化される。もちろん、左右に展張する場合も同様に作業が容易化される。
【００１９】
本考案に係るシート展張装置は、上記のような第１のシート展張具３１と、以下に述べるような第２のシート展張具を組み合わせて使用すると、とくに優れた効果が得られる。つまり、展張すべきシートの一端側を第１のシート展張具３１で保持し、他端側を第２のシート展張具で把持して展張する構成である。
【００２０】
図３ないし図７は、本発明の一実施態様に係る第２のシート展張具を示している。図３において、１は対象となるシートを示しており、たとえばシートに構成されている比較的広い面積の看板やテント、カーテン、折り畳み方式等の間仕切り、劇場の幕やその他の飾り用あるいは仕切り用の幕などからなる。このようなシート１に対して、前述のような第１のシート展張具３１で展張すべきシート１の一端側が保持され、他端側が図３に示すように第２のシート展張具２で把持されて展張される。第２のシート展張具２は、後述の如く、シート端縁に沿って複数断続的に配置されることが好ましい。
【００２１】
第２のシート展張具２は、外周にシート端部１ａが巻き付けられる異形横断面のシート止め具３を備えており、本実施態様では、シート止め具３は、図５にも示すように、横断面三角形のアルミニウム合金製パイプ状物に形成されている。また、第２のシート展張具２は、シート止め具３に巻き付けられないで単に折り返された状態のシート端部１ａの通過を許容する間口を有する開口４を備え、シート端部１ａが巻き付けられたシート止め具３をシート自身が展張する方向Ａに対して保持する保持具５を有している。本実施態様では、この保持具５もアルミニウム合金で構成されており、第２のシート展張具２全体の軽量化とともに、必要な強度、剛性が確保されている。上記開口４は、ラッパ状に開いたガイド部６によって形成されており、折り返された状態のシート端部１ａが円滑に開口４を通過できるように（シート端部１ａがスムーズに差し込めるように）なっている。
【００２２】
保持具５には、上記シート端部１ａが巻き付けられたシート止め具３を収容する内部空間７が形成されており、図５にも示すように、内部空間７はシート止め具３の幅方向に貫通させて形成されている。したがって、シート止め具３にシート端部１ａを巻き付けた状態にて、シート１の端縁に沿って横方向からスライドさせるように、シート端部１ａが巻き付けられたシート止め具３を内部空間７内に収容できるようになっている。
【００２３】
保持具５の開口４と反対側には、保持具５をシート１を展張する方向Ｂに位置調整可能な展張調整手段８が連結されている。展張調整手段８は、図６にも示すように、ボルト９、その一端部に形成された拡径部１０、拡径部１０に係止されるワッシャー１１、ボルト９のねじ部に螺合されたナット１２、ナット１２に係合するスプリングワッシャー１３を有している。拡径部１０が、保持具５に形成された連結用空間１４（図５）内に収容され、ワッシャー１１が係合空間１５（図５）内に収容されることにより、展張調整手段８と保持具５とが連結されている。ワッシャー１１を係合空間１５内に挿入した後には、ワッシャー１１が係合空間１５から抜け出るのを防ぐために、適当な抜け止めを施しておくとよい。たとえば、保持具５のワッシャー１１設置部の両側部分を、簡単にかしめておくとよい。この状態で、ナット１２を締め込むことにより、スプリングワッシャー１３を介して、看板等用のフレームアングル１６を基準位置として、ボルト９をシート１を展張する方向Ｂに移動させ、シート１を引っ張ることができるようになっている。フレームアングル１６は、架台アングル１７に固定されている。１８は、展張後の見栄えを良くするために、第２のシート展張具２や展張調整手段８部分を覆い隠すカバーを示しており、必要に応じて設ければよい。
【００２４】
上記のような第２のシート展張具２が、たとえば図７に示すように、シート１の端縁に沿って、とくに前述の第１のシート展張具３１とは反対側のシート１の端縁に沿って、複数断続的に設けられる。各第２のシート展張具２間の間隔Ｐは、第２のシート展張具２の幅Ｗよりも大きく設定されている。したがって、図７に２点鎖線で示すように、各第２のシート展張具２が斜めに傾けられることなく真っ直ぐに平行移動され、その開口４から、折り返されただけのシート端部１ａが挿入され、挿入後に、第２のシート展張具２を横移動させることにより、シート端部１ａが巻き付けられたシート止め具３を保持具５の内部空間７内に収容する操作を容易に行うことができるようになっている。
【００２５】
このように構成された第２のシート展張具２においては、ガイド６によって形成された開口４から折り返されただけのシート端部１ａを簡単に挿入でき、第２のシート展張具２を横移動させて、シート端部１ａが巻き付けられたシート止め具３を保持具５の内部空間７内に容易に収容できる。この操作では、第２のシート展張具２を斜めに傾ける必要はなく、所定姿勢のまま平行移動させるだけで、上記の状態に到達できる。また、ラッパ状に開いたガイド６が設けられているので、開口４へのシート端部１ａの挿入も極めて容易に行われる。すなわち、第２のシート展張具２を用いた施工、設定を極めて容易に、かつ、所定の位置に正確に、行うことができるようになる。
【００２６】
この状態から、展張調整手段８による調整操作（展張操作）が行われ、内部空間７内に収容された、シート端部１ａが巻き付けられたシート止め具３が図１のＢ方向に引っ張られ、それに伴ってシート１が引っ張られ、展張される。このとき、シート止め具３と保持具５の内面は近接し、間に位置する、シート止め具３に巻き付けられたシート端部１ａが、自然にその間に締め込まれて固定、保持されることになる。とくに本実施態様では、シート止め具３が横断面三角形に、保持具５の内面も対応する三角形状に形成されているので、上記締め込み時にくさび効果が生じて自然にストッパ機能が発揮され、シート端部１ａがより確実に保持、固定される。
【００２７】
このように、シート端部１ａの固定、保持からシート１の展張まで、極めて簡単な操作にて行うことができる。また、第２のシート展張具２が精度良く所定の姿勢に設定されており、かつ、シート端部１ａの固定も、横断面三角形のシート止め具３とそれに対応する形状の保持具５の内面によって、的確に所定の状態に決められているので、シート展張時にシート１に皺が入ることもない。
【００２８】
また、上記のシート端部１ａの固定、保持をより確実に行うために、たとえば図８に示すように、保持具５の内部空間７を形成している内面に、とくに横断面三角形のシート止め具３との間でくさび効果を発揮する内面に、凹凸２１を付与しておくことが好ましい。凹凸２１の形状は特に限定しないが、図８に示すような抜け止め方向に鉤形に形成しておくと、シート端部１ａが食い込んでいくので、より確実に固定、保持を行うことができるようになる。
【００２９】
図７に示したように、複数の第２のシート展張具２が所定間隔に設定され、各第２のシート展張具２により上記の如く簡単な操作でシート１を引っ張っていくことにより、シート１の全域にわたって皺の発生しない所望の展張状態が得られる。
【図面の簡単な説明】
【００３０】
【図１】本考案の一実施態様に係るシート展張装置の第１のシート展張具の側面図である。
【図２】図１の第１のシート展張具に保持されるシート端部の側面図である。
【図３】本考案の一実施態様に係るシート展張装置の第２のシート展張具の断面図である。
【図４】図３の装置のシート止め具の斜視図である。
【図５】図３の装置の保持具の斜視図である。
【図６】図３の装置の展張調整手段の斜視図である。
【図７】図３の装置をシートに対し複数設定する場合の様子を示す概略部分正面図である。
【図８】本考案の別の実施態様に係るシート展張装置の第２のシート展張具における保持具の側面図である。
【図９】従来のシート端部保持方法を示す概略側面図である。
【符号の説明】
【００３１】
１  シート
１ａ  シート端部
２  第２のシート展張具
３  シート止め具
４  開口
５  保持具
６  ガイド部
７  内部空間
８  展張調整手段
９  ボルト
１０  拡径部
１１  ワッシャー
１２  ナット
１３  スプリングワッシャー
１４  連結用空間
１５  係合空間
１６  フレームアングル
１７  架台アングル
１８  カバー
２１  凹凸
３１  第１のシート展張具
３２  建築物または構造物躯体の辺部に沿う形状部分
３３  躯体取付け部
３４  シート展張方向
３５  開口
３６  シート端部保持部
４１  シート
４２  棒状体
【図１】
0003108764.tif 000003
【図２】
0003108764.tif 000004
【図３】
0003108764.tif 000005
【図４】
0003108764.tif 000006
【図５】
0003108764.tif 000007
【図６】
0003108764.tif 000008
【図７】
0003108764.tif 000009
【図８】
0003108764.tif 000010
【図９】
0003108764.tif 000011